(57)【要約】【課題】  ケーブルの外層の吸水性テープの両側先端部やケーブルの長手方向の一部が傷などで破断した場合、水が介在物に侵入しても、複数の走水防止用テープが膨潤して水止めされ、水走りが防止される。【解決手段】  一定の長さを有した絶縁線心７を撚り合わせた隙間に介在物９を介して押さえ巻きテープ１１を巻き付けてなると共にこの押さえ巻きテープ１１の外周に外被１３を被覆してなるケーブル１において、前記介在物９が複数の走水防止用テープ１５で構成されていることを特徴とする。【選択図】図１
2006164813.tif 000002
【特許請求の範囲】
【請求項１】
一定の長さを有した絶縁線心を撚り合わせた隙間に介在物を介して押さえ巻きテープを巻き付けてなると共にこの押さえ巻きテープの外周に外被を被覆してなるケーブルにおいて、前記介在物が複数の走水防止用テープで構成されていることを特徴とするケーブル。
【請求項２】
一定の長さを有した絶縁線心を撚り合わせた隙間に介在物を介して押さえ巻きテープを巻き付けてなると共にこの押さえ巻きテープの外周に外被を被覆してなるケーブルにおいて、前記介在物が吸水性ポリマーを混練した合成繊維で構成されていることを特徴とするケーブル。
【請求項３】
前記押さえ巻きテープが一枚もしくは複数の走水防止用テープで構成されていることを特徴とする請求項１または２記載のケーブル。
【請求項４】
前記走水防止用テープが、合成繊維や綿糸からなる基布に吸水ポリマーを塗布し、前記基布の少なくとも片面に難燃性樹脂を塗布して構成されていることを特徴とする請求項１、２または３記載のケーブル。
【請求項５】
前記走水防止用テープが、基布に難燃剤と吸水ポリマーを混練した混練部材を少なくとも片面に塗布して構成されていることを特徴とする請求項１、２または３記載のケーブル。
【発明の詳細な説明】
【技術分野】
【０００１】
この発明は、ケーブル端末からの浸水や外皮の破れからの浸水から水走りを生じさせないようにしたケーブルに関する。
【背景技術】
【０００２】
従来のケーブル１０１としては、図６および図７に示されているように、例えばポリエチレン樹脂などからなる絶縁体１０３を被覆した例えば軟銅線からなる導体１０５が一定の長さで複数例えば３本により絶縁線心１０７を備えており、この絶縁線心１０７を撚り合わせた隙間に例えばプラスチック、繊維、紙などからなる介在物１０９が介在され、この介在物１０９の外周には吸水テープ１１１が横巻きに巻き付けられて設けられている。この吸水テープ１１１の外周には例えばポリエチレン樹脂などからなる外皮１１３が被覆されている。そして、前記ケーブル１０１の両先端部においては、この両先端部からケーブル１０１内に走水されないように、例えば図７に示されているように接着剤１１５が塗布されている。
【０００３】
しかしながら、この従来のケーブル１０１が例えば船などに使用される場合に、前記介在物１０９は吸水性の材料からなっていないので、例えばケーブル１０１の長手方向の外被１１３が破れ、さらに吸水テープ１１１の一部に傷がついて破断すると、この破断部から水が前記介在物１０９を伝わって、水走りが生じてしまうという問題があった。
【０００４】
この水走りが生じないようにするために、例えば特許文献１に示されているように、ケーブルコアの外周にジェリー（防水混和物）を介してテープ状の第１被覆層を設け、さらに、この第１被覆層の外周に第２被覆層を被覆したものが知られている。
【特許文献１】特開平８−２９７２３１号公報
【発明の開示】
【発明が解決しようとする課題】
【０００５】
ところで、上述した従来のジェリーを充填する手段として、第１被覆層に例えば直径約１ｍｍのジェリー充填用貫通孔を長手方向に適宜な間隔で複数設け、この各ジェリー充填用貫通孔からジェリーを充填し、この各ジェリー充填用貫通孔を塞ぐために第１被覆層の外周に第２被覆層を被覆したものである。
【０００６】
したがって、ジェリーを充填するために、第１被覆層、第２被覆層の被覆層を要しケーブルの径が大きくなってしまい、また、ケーブル１０１を製造するのが容易でないという問題がある。
【０００７】
この発明は上述の課題を解決するためになされたものである。
【課題を解決するための手段】
【０００８】
上記発明が解決しようとする課題を達成するためにこの発明のケーブルは、一定の長さを有した絶縁線心を撚り合わせた隙間に介在物を介して押さえ巻きテープを巻き付けてなると共にこの押さえ巻きテープの外周に外被を被覆してなるケーブルにおいて、前記介在物が複数の走水防止用テープで構成されていることを特徴とするものである。
【０００９】
この発明のケーブルは、一定の長さを有した絶縁線心を撚り合わせた隙間に介在物を介して押さえ巻きテープを巻き付けてなると共にこの押さえ巻きテープの外周に外被を被覆してなるケーブルにおいて、前記介在物が吸水性ポリマーを混練した合成繊維で構成されていることを特徴とするものである。
【００１０】
この発明のケーブルは、前記ケーブルにおいて、前記押さえ巻きテープが一枚もしくは複数の走水防止用テープで構成されていることが好ましい。
【００１１】
この発明のケーブルは、前記ケーブルにおいて、前記走水防止用テープが、合成繊維や綿糸からなる基布に吸水ポリマーを塗布し、前記基布の少なくとも片面に難燃性樹脂を塗布して構成されていることが好ましい。
【００１２】
この発明のケーブルは、前記ケーブルにおいて、前記走水防止用テープが、基布に難燃剤と吸水ポリマーを混練した混練部材を少なくとも片面に塗布して構成されていることが好ましい。
【発明の効果】
【００１３】
以上のごとき課題を解決するための手段の説明から理解されるように、この発明によれば、前記介在物が前記絶縁線心を撚り合わせた隙間に設けられた一枚もしくは複数の走水防止用テープで構成され、また、前記介在物が吸水性ポリマーを混練した合成繊維で構成されているから、両側先端部やケーブルの長手方向の外被が破れ、さらに押さえ巻きテープの一部が傷などで破断した場合、水が介在物に侵入しても、複数の走水防止用テープが膨潤して水止めされ、水走りを防止することができる。
【発明を実施するための最良の形態】
【００１４】
以下、この発明の実施の形態について図面を参照して詳細に説明する。
【００１５】
図１および図２を参照するに、ケーブル１としては例えばポリエチレン樹脂からなる絶縁体３を被覆した例えば軟銅線からなる導体５が一定の長さで複数例えば３本により絶縁線心７が撚り合わされている。この絶縁線心７を撚り合わせた隙間には介在物９が介在されている。この介在物９の外周には押さえ巻きテープ１１で横巻きに巻き付けられて設けられている。この押さえ巻きテープ１１の外周には例えばポリエチレン樹脂などからなる外被１３が被覆されている。そして、前記介在物９は前記絶縁線心７の長手方向に縦添えされた一枚もしくは複数の走水防止用テープ１５で構成されている。
【００１６】
このケーブル１が例えば船などに使用される場合に、前記介在物９は複数の例えば長手方向へしわ状になった走水防止用テープ１５からなっているので、例えばケーブル１の長手方向の外被１３が破れ、さらに押さえ巻きテープ１１の一部に傷がついて破断した場合、水が介在物９に侵入しても、この介在物９が複数の走水防止用テープ１５からなっているので、一枚もしくは複数の走水防止用テープ１５が膨潤して水止めされ、水走りを防止することができる。
【００１７】
前記走水防止用テープ１５は、図３に示されているように、合成繊維としての例えばポリエステル繊維や綿糸からなる基布１７間に吸水ポリマー１９を塗布し、前記基布１７の例えば両面に難燃性樹脂としての例えばノンハロゲン発泡難燃性樹脂２１を塗布した５層構造の吸水性テープからなっている。なお、前記基布１７の例えば片面にノンハロゲン発泡難燃性樹脂２１を塗布したものでも適用可能である。
【００１８】
このような構成からなる走水防止用テープ１５を前記介在物９に使用することにより、従来のケーブルに比べて製造が容易であると共にケーブル１の押さえ巻きテープ１１の両側先端部やケーブル１の長手方向の外被１３の一部が破れてさらに押さえ巻きテープ１１が傷などで破断した場合、水が介在物９を構成している走水防止用テープ１５に侵入しても、一枚もしくは複数の走水防止用テープ１５が膨潤して水止めされ、水走りを防止することができる。また、走水防止用テープ１５は難燃性を有しているので、走水防止効果と共に難燃性の効果を発揮することができる。
【００１９】
また、前記走水防止用テープ１５は、図４に示されているように、基布２３に樹脂や塗料などからなる難燃剤と吸水ポリマーを混練した混練部材２５を例えば両面に塗布した３層構造の吸水性テープからなっている。このような構成からなる走水防止用テープ１５を前記介在物９に使用することにより、従来のケーブルに比べて製作が容易であると共にケーブル１の押さえ巻きテープ１１の両側先端部やケーブル１の長手方向の外被１３の一部が破れてさらに押さえ巻きテープ１１が傷などで破断した場合、に水が介在物９を構成している走水防止用テープ１５に侵入しても、複数の走水防止用テープ１５が膨潤して水止めされ、水走りを防止することができる。なお、基布２３に樹脂や塗料などからなる難燃剤と吸水ポリマーを混練した混練部材２５を例えば片面に塗布したものでも適用可能である。
【００２０】
したがって、この場合の走水防止用テープ１５は難燃性を有しているので、走水防止効果と共に難燃性の効果を発揮することができる。
【００２１】
さらに、図３、図４に示した前記走水防止用テープ１５を前記押さえ巻きテープ１１に使用するとさらに効果を発揮するものである。
【００２２】
なお、図３に示した前記走水防止用テープ１５の特性値は、温度２４℃、湿度５７％ＲＨで、例えばＡ４の大きさのノートで測定した結果、外観は良好で、厚さは０．３３８ｍｍ、質量は２２６ｇ／ｍ２、引っ張り強度（タテ）が１３０Ｎ／２５ｍｍ、伸び（タテ）が２６％、酸素指数が３５、吸水高さ（人工海水）が１．３９０ｍｍである。また、図４に示した前記走水防止用テープ１５の特性値は、温度２４℃、湿度５７％の場合、外観は良好で、厚さは０．３２３ｍｍ、質量は２５３ｇ／ｍ２、引っ張り強度（タテ）が１３２Ｎ／１５ｍｍ、伸び（タテ）が７．５％、酸素指数が８０、吸水高さ（人工海水）が０．８９０ｍｍである。
【００２３】
また、図１において、前記介在物９として、吸水性ポリマーを混練した合成繊維２７で構成されていてもよい。したがって、前記介在物９として、吸水性ポリマーを混練した合成繊維２７で構成されているから、両側先端部やケーブル１の長手方向の外被１３が破れ、さらに押さえ巻きテープ１１の一部が傷などで破断した場合、水が介在物９の吸水性ポリマーを混練した合成繊維２７に侵入しても、吸水性ポリマーを混練した合成繊維２７が膨潤して水止めされ、水走りを防止することができる。
【００２４】
図５には図１に代わる他の実施の形態が示されている。図５において、図１における部品と同じ部品には同一の符号を付して重複する説明を省略する。
【００２５】
図５において、介在物９として走水防止用テープ１５だけでなく、複数のゴムまたはプラスチックの紐２９を挿入しても対応可能である。すなわち、この場合には介在物９としての走水防止用テープ１５の使用量を削減でき、コストダウンを図ることができるという効果を発揮することができる。
【００２６】
なお、この発明は前述した実施の形態に限定されることなく、適宜な変更を行うことによりその他の態様で実施し得るものである。前述した実施の形態では線材として導体を例にとって説明したが、光ファイバやその他の線材であっても構わない。
【図面の簡単な説明】
【００２７】
【図１】この発明のケーブルの断面図である。
【図２】図１におけるケーブルの正面図である。
【図３】走水防止用テープの構造の一例を示した断面図である。
【図４】走水防止用テープの構造の他例を示した断面図である。
【図５】図１に代わる他の実施形態の発明のケーブルの断面図である。
【図６】従来のケーブルの断面図である。
【図７】図６におけるケーブルの正面図である。
【符号の説明】
【００２８】
１  ケーブル
３  絶縁体
５  導体
７  絶縁線心
９  介在物
１１  押さえ巻きテープ
１３  外被
１５  走水防止用テープ
１７  基布
１９  吸水性ポリマー
２１  ノンハロゲン発泡難燃性樹脂（難燃性樹脂）
２３  基布
２５  混練部材
２７  吸水性ポリマーを混練した合成繊維
２９  ゴムまたはプラスチックの紐
【図１】
2006164813.tif 000003
【図２】
2006164813.tif 000004
【図３】
2006164813.tif 000005
【図４】
2006164813.tif 000006
【図５】
2006164813.tif 000007
【図６】
2006164813.tif 000008
【図７】
2006164813.tif 000009